(57)【要約】【課題】前回の番組表上での予約作業に引き続いて、番組表上で予約をする際、一々前回の表示していた日を出す操作が省けて、操作ステップを軽減でき、また、番組表上で、放送時間が短い番組で表示領域が狭い場合でも、番組名表示や記号やジャンル表現を有効に活用して、視認性の向上を図ることができる番組情報表示システム、番組情報表示装置及び番組情報表示方法を提供すること。【解決手段】受信手段は番組の放送信号を受信する。取得手段は、少なくともチャンネル，開始日時，終了日時，番組名を含む電子番組案内情報を、外部から取り込む。操作手段は、電子番組案内情報を表示部に表示する指令を出す。電子番組案内情報表示制御手段は、前記操作手段の表示指令の下に電子番組案内情報を表示部に表示する際に、番組表の形態で表示すると共に、前回表示した表示状態のうち日時だけ保持した形式で表示する。【選択図】  図１
2005244660.tif 000002
【特許請求の範囲】
【請求項１】
チャンネル，開始日時，終了日時，番組名を含む放送番組の電子番組案内情報が記憶され、該電子番組案内情報をネットワークに送出することが可能なサーバと、
放送局から送信される番組のテレビジョン放送信号を受信する受信手段と、
ネットワーク経由で前記サーバにアクセスして前記電子番組案内情報を取得する取得手段と、
前記取得手段にて取得した電子番組案内情報を表示部に表示させるべく指令を与える操作手段と、
前記操作手段の表示指令の下に前記電子番組案内情報を表示部に表示する際に、番組表の形態で表示すると共に、前回表示した表示状態のうち日時を保持した形式で表示する電子番組案内情報表示制御手段と、
を具備したことを特徴とする番組情報表示システム。
【請求項２】
チャンネル，開始日時，終了日時，番組名を含む放送番組の電子番組案内情報が多重されたテレビジョン放送信号を送信する放送局と、
前記放送局から送信される番組のテレビジョン放送信号を受信する受信手段と、
前記受信手段にて受信した前記テレビジョン放送信号から電子番組案内情報を取得する取得手段と、
前記取得手段にて取得した電子番組案内情報を表示部に表示させるべく指令を与える操作手段と、
前記操作手段の表示指令の下に前記電子番組案内情報を表示部に表示する際に、番組表の形態で表示すると共に、前回表示した表示状態のうち日時を保持した形式で表示する電子番組案内情報表示制御手段と、
を具備したことを特徴とする番組情報表示システム。
【請求項３】
番組の放送信号を受信する受信手段と、
チャンネル，開始日時，終了日時，番組名を含む放送番組の電子番組案内情報を、外部から取り込む取得手段と、
前記取得手段にて取得した電子番組案内情報を表示部に表示させるべく指令を与える操作手段と、
前記操作手段の表示指令の下に前記電子番組案内情報を表示部に表示する際に、番組表の形態で表示すると共に、前回表示した表示状態のうち日時を保持した形式で表示する電子番組案内情報表示制御手段と、
を具備したことを特徴とする番組情報表示装置。
【請求項４】
前記電子番組案内情報表示手段は、電子番組案内情報を表示する際、前回の表示日時が現在よりも過去ならば、現在の日時の表示状態で表示することを特徴とする請求項３に記載の番組情報表示装置。
【請求項５】
前記電子番組案内情報表示手段は、電子番組案内情報を表示する際、前回表示していた過去の表示状態で表示することを特徴とする請求項３に記載の番組情報表示装置。
【請求項６】
当該番組情報表示装置の電源を切った際にも、前回の電子番組案内情報を記憶しておくための不揮発性メモリを、さらに具備したことを特徴とする請求項３乃至５のいずれか１つに記載の番組情報表示装置。
【請求項７】
前記電子番組案内情報表示手段は、現在の日時の電子番組案内情報を表示するか、前回の表示状態で電子番組案内情報を表示するかを、事前に選択可能となっていることを特徴とする請求項３乃至６のいずれか１つに記載の番組情報表示装置。
【請求項８】
現在の日時に移動させるべく指令を与える操作手段を具備し、現在の日時の番組を表示スクロールや表示頁切り替えなしに即座に表示させることを特徴とする請求項３から７のいずれか１つに記載の番組情報表示装置。
【請求項９】
前記電子番組案内情報表示手段は、表示する電子番組案内情報の各番組の先頭にマーク又は切り込みを付けることを特徴とする請求項３乃至８のいずれか１つに記載の番組情報表示装置。
【請求項１０】
前記マークは、番組属性を示すものであることを特徴とする請求項９に記載の番組情報表示装置。
【請求項１１】
番組の放送信号を受信する受信ステップと、
チャンネル，開始日時，終了日時，番組名を含む放送番組の電子番組案内情報を、外部から取り込む取得ステップと、
前記取得ステップにて取得した電子番組案内情報を表示部に表示させるべく指令を与える操作ステップと、
前記操作ステップによる表示指令の下に前記電子番組案内情報を表示部に表示する際に、番組表の形態で表示すると共に、前回表示した表示状態のうち日時だけ保持した形式で表示する電子番組案内情報表示制御ステップと、
を具備したことを特徴とする番組情報表示方法。
【発明の詳細な説明】
【技術分野】
【０００１】
この発明は、本発明は、テレビジョン放送における番組情報を表示するための番組情報表示システム、番組情報表示装置及び番組情報表示方法に関するものである。
【背景技術】
【０００２】
近年、ＢＳデジタル放送が開始されており、このＢＳデジタル放送においては、録画装置でテレビジョン放送信号を受信すると共に、当該放送信号に多重された電子番組案内（以下、ＥＰＧ）情報を抽出して、これを番組予約に利用することが行われている。ＥＰＧ情報には、放送予定日、時間帯、チャンネル、番組名、番組に関する詳細情報等が各番組毎に記載されている。
【０００３】
このようなＥＰＧの表示例については例えば特許文献１，２などに記載されている。  
特許文献１には、従来の電子番組情報表示装置では高齢者にとっては、ＥＰＧ情報をモニタに表示すると、文字が小さいので、読み辛いという問題に鑑みて、標準ＥＰＧ情報表示形式に較べて、そのＥＰＧ情報の中の少なくともシンボルの部分が拡大し、もしくは新たに少なくともシンボルが追加されるなどした特殊ＥＰＧ情報表示形式で、ＥＰＧ情報を表示することが記載されている。
【０００４】
また、特許文献２には、放送地域の拡大を図りつつ開始された地上デジタル放送のＥＰＧ表示に関して、ＢＳディジタル放送の場合とは異なり、ＥＰＧ表示データが放送局毎に送信されることに鑑み、全てのチャンネルのＥＰＧ情報を得るために、地上デジタル放送の番組データの放送チャンネルを受信するユーザ用チューナの他に、情報取得用チューナを設け、情報取得用チューナにより受信されるチャンネルを順次切り替えて、放送局毎に送信されてくるＥＰＧデータを取得して、全ての放送局のＥＰＧを表示することが記載されている。
【特許文献１】特開２０００−３５８２００号公報（段落［0003］、［0059］、図２、図５）
【特許文献２】特開２００３−１６３８４９号公報（段落［0067］−［0070］、図９）
【発明の開示】
【発明が解決しようとする課題】
【０００５】
上記特許文献１，２などの先行技術では、チャンネルと時刻を縦横二次元配置して番組を表示している。一般的には、(1)受信装置や録画装置の電源を投入した現在日の番組を表示している。また、(2)１番組１枠で表示して、１枠ごとの番組にカーソルを合わせて予約時に選択することが行われている。
【０００６】
この場合、以下の問題があった。
【０００７】
(1)については、
・  直前の一連の予約作業を再開したい時に、番組表を表示させた後、一々一連の対象日まで表示をスクロール、あるいはページ切り替えしなくてはならない。
【０００８】
・  直前の予約を確認・修正したい時に、番組表を表示させた後、一々一前予約日まで表示をスクロール、あるいはページ切り替えしなくてはならない。
【０００９】
(2)については、
・  番組時間が短い場合は、枠の太さで文字が潰れてしまう、あるいは醜くなってしまう。
【００１０】
・  番組枠内の背景色がジャンルを示す場合、且つ、番組時間が短い場合、枠の太さで背景色自体が醜くなってしまう。
【００１１】
そこで、本発明は、上記の問題に鑑みてなされたもので、前回の番組表上での予約作業に引き続いて、番組表上で予約をする際、一々前回の表示していた日を出す操作を省いて、操作ステップを軽減でき、また、番組表上で、放送時間が短い番組で表示領域が狭い場合でも、番組名表示や記号やジャンル表現を有効に活用して、視認性の向上を図ることができる番組情報表示システム、番組情報表示装置及び番組情報表示方法を提供することを目的とするものである。
【課題を解決するための手段】
【００１２】
本発明による第１の番組情報表示システムは、
チャンネル，開始日時，終了日時，番組名を含む放送番組の電子番組案内情報が記憶され、該電子番組案内情報をネットワークに送出することが可能なサーバと、
放送局から送信される番組のテレビジョン放送信号を受信する受信手段と、
ネットワーク経由で前記サーバにアクセスして前記電子番組案内情報を取得する取得手段と、
前記取得手段にて取得した電子番組案内情報を表示部に表示させるべく指令を与える操作手段と、
前記操作手段の表示指令の下に前記電子番組案内情報を表示部に表示する際に、番組表の形態で表示すると共に、前回表示した表示状態のうち日時を保持した形式で表示する電子番組案内情報表示制御手段と、を具備したものである。
【００１３】
本発明による第２の番組情報表示システムは、
チャンネル，開始日時，終了日時，番組名を含む放送番組の電子番組案内情報が多重されたテレビジョン放送信号を送信する放送局と、
前記放送局から送信される番組のテレビジョン放送信号を受信する受信手段と、
前記受信手段にて受信した前記テレビジョン放送信号から電子番組案内情報を取得する取得手段と、
前記取得手段にて取得した電子番組案内情報を表示部に表示させるべく指令を与える操作手段と、
前記操作手段の表示指令の下に前記電子番組案内情報を表示部に表示する際に、番組表の形態で表示すると共に、前回表示した表示状態のうち日時を保持した形式で表示する電子番組案内情報表示制御手段と、を具備したものである。
【００１４】
本発明による第１の番組情報表示装置は、
番組の放送信号を受信する受信手段と、
チャンネル，開始日時，終了日時，番組名を含む放送番組の電子番組案内情報を、外部から取り込む取得手段と、
前記取得手段にて取得した電子番組案内情報を表示部に表示させるべく指令を与える操作手段と、
前記操作手段の表示指令の下に前記電子番組案内情報を表示部に表示する際に、番組表の形態で表示すると共に、前回表示した表示状態のうち日時を保持した形式で表示する電子番組案内情報表示制御手段と、を具備したものである。
【００１５】
この第１の番組情報表示装置によれば、直前の予約の確認や、予約の続行の手間が少なくなる。
【００１６】
本発明の第２の番組情報表示装置は、第１の番組情報表示装置において、
前記電子番組案内情報表示手段は、電子番組案内情報を表示する際、前回の表示日時が現在よりも過去ならば、現在の日時の表示状態で表示することを特徴とする。
【００１７】
この第２の番組情報表示装置によれば、前回表示した日時が現在よりも過去ならば、現在日時の番組表を表示することで、無駄な（即ち、予約ができない）過去の番組表を出さなくする。直前の予約の確認や、予約の続行の手間がより少なくなる。
【００１８】
本発明の第３の番組情報表示装置は、第１の番組情報表示装置において、
前記電子番組案内情報表示手段は、電子番組案内情報を表示する際、前回表示していた過去の表示状態で表示することを特徴とする。
【００１９】
本発明の第４の番組情報表示装置は、第１乃至３のいずれか１つの番組情報表示装置において、
当該番組情報表示装置の電源を切った際にも、前回の電子番組案内情報を記憶しておくための不揮発性メモリを、さらに具備したことを特徴とする。
【００２０】
この第４の番組情報表示装置によれば、電源を切っても、前回の電子番組案内情報の状態を覚えておくことができる。
【００２１】
本発明の第５の番組情報表示装置は、第１乃至４のいずれか１つの番組情報表示装置において、
前記電子番組案内情報表示手段は、現在の日時の電子番組案内情報を表示するか、前回の表示状態で電子番組案内情報を表示するかを、事前に選択可能となっていることを特徴とする。
【００２２】
この第５の番組情報表示装置によれば、電子番組案内情報の表示モードを、ユーザが自分の嗜好に合わせることができる。
【００２３】
本発明の第６の番組情報表示装置は、第１乃至５のいずれか１つの番組情報表示装置において、
現在の日時に移動させるべく指令を与える操作手段を具備し、現在の日時の番組を表示スクロールや表示頁切り替えなしに即座に表示させることを特徴とする。
【００２４】
この第６の番組情報表示装置によれば、番組表を表示している時に［現在］のボタンを押すと現在の日時の番組表を表示する。上記［現在］ボタンはリモコンのボタンでも、表示部の画面上に表示されるボタンや選択肢であってもよい。
【００２５】
本発明の第７の番組情報表示装置は、第１乃至６のいずれか１つの番組情報表示装置において、
前記電子番組案内情報表示手段は、表示する電子番組案内情報の各番組の先頭にマーク又は切り込みを付けることを特徴とする。
【００２６】
この第７の番組情報表示装置によれば、番組間の区切りに線を入れないことで、短い番組でも番組名や背景色を分かり易くすることができる。
【００２７】
本発明の第８の番組情報表示装置は、第６番組情報表示装置において、
前記マークは、番組属性を示すものであることを特徴とする。
【００２８】
この第８の番組情報表示装置によれば、番組の先頭と属性が同時に認識できる。番組属性とは、例えばジャンルである。
【００２９】
本発明の第９の番組情報表示装置は、第１乃至８のいずれか１つの番組情報表示装置において、
前記取得手段は、ネットワーク経由で外部のサーバにアクセスして電子番組案内情報を取得することを特徴とする。
【００３０】
本発明の第１０の番組情報表示装置は、第１乃至９のいずれか１つの番組情報表示装置において、
前記取得手段は、前記受信手段にて受信された放送信号から電子番組案内情報を取得することを特徴とする。
【００３１】
本発明による番組情報表示方法は、
番組の放送信号を受信する受信ステップと、
チャンネル，開始日時，終了日時，番組名を含む放送番組の電子番組案内情報を、外部から取り込む取得ステップと、
前記取得ステップにて取得した電子番組案内情報を表示部に表示させるべく指令を与える操作ステップと、
前記操作ステップによる表示指令の下に前記電子番組案内情報を表示部に表示する際に、番組表の形態で表示すると共に、前回表示した表示状態のうち日時だけ保持した形式で表示する電子番組案内情報表示制御ステップと、を具備したことを特徴とする。
【００３２】
この番組情報表示方法によれば、直前の予約の確認や、予約の続行の手間が少なくなる。
【発明の効果】
【００３３】
本発明によれば、前回の番組表上での予約作業に引き続いて、番組表上で予約をする際、前回の最後に表示していた表示状態を読み出すことができ、一々前回の表示していた日を出す操作が省け、操作ステップを軽減できる。
【００３４】
また、番組表上で、放送時間が短い番組で表示領域が狭い場合でも、番組の先頭位置に番組名表示や記号やジャンル表現を配置して、番組の区切りとして有効に活用でき、視認性の向上を図ることができる。
【発明を実施するための最良の形態】
【００３５】
発明の実施の形態について図面を参照して説明する。
【実施例１】
【００３６】
図１は本発明の実施例１の番組情報表示システム及び番組情報表示装置のブロック図を示している。本実施例では、番組情報表示システム及び番組情報表示装置として録画システム及び録画装置の例を挙げて説明する。
【００３７】
図１において、録画システムは、録画装置１と、放送受信用アンテナ２と、操作手段としての赤外線などによるリモートコントロール送信機（以下、リモコン）３と、外部から映像信号を供給可能なＤＶＤなどの外部映像機器４と、液晶表示パネルなどの表示手段としてのディスプレイ５と、インターネットなどの外部ネットワークに接続するためのモデム６と、インターネットなどのネットワーク７と、電子番組案内情報が多重されたテレビジョン放送信号を送信する放送局８と、放送局８から放送される放送番組の電子番組案内情報を蓄積していて、ネットワーク７に接続されていてネットワーク７経由で録画装置１に前記電子番組案内情報を送出することが可能なサーバ９と、を備えて構成されている。
【００３８】
サーバ９は、番組データベースＤＢを備えていて、絶えず或いは定期的に放送局８から番組に関するＥＰＧデータを得て、これを蓄積している。なお、図では、１つの放送局のみを示しているが、実際にはそれぞれ異なった放送番組を送出する複数の放送局が存在しており、アンテナ２は、これら複数の放送局からの複数のテレビジョン放送信号を受信し、録画装置１内の受信手段であるチューナ部１１に供給する仕組みとなっている。
【００３９】
録画装置１は、外部のアンテナ２からのテレビジョン放送信号を受信し復調する受信手段であるチューナ部１１と、チューナ部１１からの映像信号を記録媒体１３に録画しかつ録画した映像信号を再生する録画再生部１２と、操作手段としてのリモコン３からの赤外線などのリモートコントロール信号を受信するリモコン受信部１４と、録画再生部１２に対するタイマー予約録画及びその実行時のタイマー動作に必要な時間情報の発生や、タイマー動作の実行に伴う録画時間の計測を行うことが可能なタイマー部１５と、ＤＶＤなどの外部映像機器４からの映像信号を入力可能とする映像入力部１６と、チューナ部１１からの映像信号や録画再生部１２からの再生映像信号を外部の表示手段である液晶等のディスプレイ５に出力したり、ＥＰＧデータを番組表の形態でディスプレイ５に出力するグラフィック処理を行う映像出力部１７と、イーサネット（R）端子を備えて外部のモデム６にネットワーク接続するネットワーク接続部１８と、以上の当該録画装置の各部にバスライン２２を介して接続して装置各部に必要な制御を行う制御手段としてのＣＰＵ１９と、ＣＰＵ１９に接続されてプログラムメモリとして機能するＲＯＭ２０と、ＣＰＵ１９に接続されてデータメモリとして機能するＲＡＭ２１と、録画装置の電源を切っても、前回表示した番組表の状態を記憶しておく不揮発性メモリとしてのＥＰＲＯＭ２３と、を備えて構成されている。
【００４０】
前記モデム６はインターネットなどのネットワーク７に接続しており、ネットワーク７には複数のＷｅｂサーバが接続している。その複数のＷｅｂサーバの中には、ＥＰＧサーバとも呼ぶべき番組案内情報（番組表情報）及び番組予約設定情報（これら２つの情報を、電子番組案内情報、略してＥＰＧデータという）を記憶したサーバ９が有る。サーバ９は、データベースＤＢを有しており、少なくとも日本国内の所定の地域におけるテレビジョン放送局が放送する番組案内情報及び番組予約設定情報を記憶している。ＥＰＧデータには、番組表の番組ごとに、チャンネル、開始日時、終了日時、番組名、ジャンル等が記述されている。ＥＰＧデータについては、リモコン３にてネットワーク接続ボタンを操作することで、ＣＰＵ１９がネットワーク接続部１８及びモデム６を介してネットワーク７経由でサーバ９にアクセスして取得することが可能となっている。そして、取得されたＥＰＧデータは、ＣＰＵ１９の制御の下に映像出力部１７でグラフィック処理されてディスプレイ５に番組表の形態で表示されるようになっている。
【００４１】
アンテナ２は例えばＢＳアンテナで構成され、ＢＳデジタル放送信号を受信可能である。チューナ部１１は、ＢＳデジタル放送信号を受信し復調するＢＳチューナを備えるほかに、ＢＳデジタル放送信号に多重されているＥＰＧデータを分離抽出する取得手段を備えた構成となっている。このＥＰＧデータも、ＣＰＵ１９の制御の下に映像出力部１７でグラフィック処理してディスプレイ５に番組表示の形態で表示されるようになっている。
【００４２】
リモコン３は、チャンネル選局ボタン、ネットワーク接続ボタン、カーソルボタン、決定ボタン、初期設定ボタン、予約ボタン、番組表ボタン、録画ボタン、再生ボタン、停止ボタンなどの各種の操作ボタンを備えている。
【００４３】
モデム６は、スプリッタ及びＡＤＳＬモデム、又は、ＣＡＴＶモデムなどで構成されている。記録媒体１３は、ハードディスク（ＨＤＤ）、ＤＶＤ−ＲＡＭなどで構成されており、番組データそのもの、外部から取得したＥＰＧデータである番組案内情報（番組表情報）及び番組予約設定情報を記録するのに用いられる。
【００４４】
ＲＡＭ２１には、前回の最後に表示していた番組表の表示属性（日時、表示形式）が記憶されるようになっている。なお、ＲＡＭ２１の代わりに不揮発性メモリとしてのＥＰＲＯＭを使用したり、或いは、ＣＰＵ１９に接続して不揮発性メモリとしてのＥＰＲＯＭ２３を設け、録画装置の電源を切った際にも、前回の番組表の表示状態を記憶しておくようにすることもできる。
【００４５】
以上の構成において、リモコン３の番組表ボタンを押して電子番組表を表示し、表示部であるディスプレイ５に表示し、そこから直接希望の番組を選択することで、録画予約できる。
【００４６】
電子番組表の表示形式として、図２に示すような全チャンネル一覧、、図３に示すようなチャンネル別一覧がある。
【００４７】
図２に示す全チャンネル一覧の番組表では、縦方向に放送局ごとのチャンネルを並べ、横方向に放送順に各番組を放送時間に応じた長さで並べてある。なお、縦，横に並べる項目を逆に配置してもよい。
【００４８】
番組と番組の間、即ち番組の先頭には、番組間を区切るための区切り線ではなく、切り込み（くさびマーク）、又は番組属性（例えばジャンル）を示すマークが目印Ａとして付けられている。番組間の区切りに線を入れないことで、短い番組でも番組名や背景色を分かり易くできる。また、番組の先頭と番組属性を同時に認識することができる。
【００４９】
図３に示すチャンネル別一覧の番組表では、或る特定の放送局のチャンネルにつき、縦方向に何月何日かを示す１日ごとの日時が並べられ、横方向に、放送順に各番組を放送時間に応じた長さで並べてある。
【００５０】
以下、上記２つの表示形式がある場合を例として、(1)番組表表示モードの「初期設定」、(2)「番組表ボタン」を押した時の動作についてそれぞれ説明する。
【００５１】
(1)   番組表表示モードの初期設定
まず、初期設定において、「番組表ボタン」を押した時に表示する番組表の初期状態をユーザが設定できるようにする。
【００５２】
図４は「初期設定」のフローチャートを示している。  
図４において、初期設定ボタンが押された時、
まず、以下のメッセージを表示する（ステップＳ1）。すなわち、
『  番組表を表示する際、どの状態で表示しますか。  
(a) 現在日時で全チャンネル一覧を表示する。  
(b) 最後に表示した状態で表示する。 』
を表示する。
【００５３】
そして、次に、(b)を選択するか否かが判定される（ステップＳ2）。すなわち、
番組表表示モードをラスト番組表モードとするか、全チャンネル一覧モードとするかを設定する。ラスト番組表モードは前回の最後に表示していた状態で表示するモードであり、全チャンネル一覧モードは現在の日時の番組表を全チャンネル一覧形式で表示するモードである。
【００５４】
ステップＳ2おいて、ユーザが(b)を選択すると、番組表表示モードがラスト番組表モードに設定され（ステップＳ3）、ユーザが(a)を選択すると、番組表表示モードが全チャンネル一覧モードに設定される（ステップＳ4）。  
これにより、ユーザの好みに応じた状態で番組表を表示させることができる。
【００５５】
(2)  「番組表ボタン」を押した時の動作
図５は「番組表表示」のフローチャートを示している。  
図５において、「番組表ボタン」が押された時、
まず、図４で初期設定された番組表表示モードがラスト番組表モードか否かが判定される（ステップS11）。
【００５６】
ステップＳ11において番組表表示モードがラスト番組表モードであれば、最後に表示した状態（日時、表示形式）を読み出す（ステップＳ12）。  
そして、ステップＳ13に進み、前回の番組表の表示日時と現在の日時を比較する。すなわち、前回の番組表につき、前回の表示日時が現在日時より未来か否かが判定される。
【００５７】
ステップＳ13において、前回の表示日時が過去ならば、現在の日時の番組表を前回の表示形態で表示する（ステップＳ15）。即ち、過去の番組を表示しない。
【００５８】
ステップＳ13において、前回の表示日時が未来ならば、前回の日時、表示形式で番組表を表示する（ステップＳ14）。  
一方、ステップＳ11において、図４で初期設定された番組表表示モードが全チャンネル一覧モードであれば、現在の日時の番組表を全チャンネル一覧形式で表示する（ステップＳ16）。
【００５９】
これにより、録画予約を入れることが多いユーザはラスト番組表モードに初期設定することで、一連の予約作業が中断した場合でも、最後に表示した状態（日時、表示形式）が読み出されるので、予約作業を即再開できる。また、近日の録画予約しか入れない初心者のユーザにとっては、全チャンネル一覧表示モードに初期設定しておくことで、新規予約の作業がし易くなる。
【実施例２】
【００６０】
実施例１における図５の「番組表表示」のフローチャートにおいては、ステップＳ12，Ｓ14，Ｓ15に示したように前回の最後に表示した日時，表示形式（但し前回の表示日時が過去ならば、現在の日時の番組表を前回の表示形態で表示する）を保持するものであった。
【００６１】
実施例２では、ラスト表示状態の保持は日時だけとするものである。従って、今回表示したときには、日時だけ保持した形式で表示し、前回の表示形式（前回表示していた全チャンネル一覧、又はチャンネル別一覧の別）は保持されないので、表示形式が２つあれば、表示する際、表示形式（全チャンネル一覧か、チャンネル別一覧か）をユーザに選択させてもよいし、また、常に一方に固定した表示形式（例えば全チャンネル一覧に固定）で表示させてもよい。なお、表示形式が３つ以上ある場合についても同様である。
【実施例３】
【００６２】
実施例１における図５の「番組表表示」のフローチャートにおいては、ステップＳ12，Ｓ14，Ｓ15に示したように前回の最後に表示した日時，表示形式（但し前回の表示日時が過去ならば、現在の日時の番組表を前回の表示形態で表示する）を保持するものであった。
【００６３】
実施例３では、ラスト表示状態の保持は日時、表示形式のほかに開始チャンネルについても行うものである。従って、今回表示したときには、日時、表示形式及び開始チャンネルを保持した形式で表示するので、表示する際、表示形式（全チャンネル一覧か、チャンネル別一覧か）と開始チャンネルが前回表示していたものと同じになる結果、表示形式は常にチャンネル別一覧で且つ前回表示の特定チャンネルで表示されることになる。
【実施例４】
【００６４】
実施例１乃至３では、図４に示した初期設定を行って、番組表表示モードを全チャンネル一覧モードとするか前回（最後）に表示していたラスト番組表モードとするかを選択可能であって、ラスト番組表モードを選択することが前提であった。、
実施例４では、ラスト番組表モードか全チャンネル一覧モードかの初期設定をなくし、ラスト番組表モードに固定とするものである。これにより、図４の初期設定は不要となり、操作ステップの軽減が図れ、かつ前回の番組表上での予約作業に引き続いて、番組表上で予約をする際、一々前回の表示していた日を出す操作が省ける。
【００６５】
尚、以上述べた何れの実施例においても、現在の日時に移動させるべく指令を与える操作手段を備え、現在の日時の番組を表示スクロールや表示頁切り替えなしに、すばやく表示させる構成としてもよい。これにより、番組表を表示している時に［現在］のボタンを押すと現在の日時の番組表を表示することができる。上記［現在］ボタンはリモコンのボタンでも、表示部の画面上に表示されるボタンや選択肢であってもよい。
【産業上の利用可能性】
【００６６】
本発明は、録画機器や放送受信機などの番組情報表示を必要とする機器及びそれを用いたシステムに使用して、番組予約の操作性を向上させるの有用である。
【図面の簡単な説明】
【００６７】
【図１】本発明の実施例１の番組情報表示システム及び番組情報表示装置のブロック図。
【図２】全チャンネル一覧の番組表を示す図。
【図３】チャンネル別一覧の番組表を示す図。
【図４】「初期設定」のフローチャート
【図５】「番組表表示」のフローチャート。
【符号の説明】
【００６８】
１…録画装置（番組情報表示装置）
３…リモコン（操作手段、選択手段）
５…ディスプレイ（表示部）
７…ネットワーク
８…放送局
９…サーバ
１１…チューナ部（受信手段）
１２…録画再生部（記録部）
１３…記録媒体
１７…映像出力部（電子番組案内情報表示制御手段）
１８…ネットワーク部
１９…ＣＰＵ（取得手段、予約設定手段、制御手段など）
２０…ＲＯＭ（プログラムメモリ）
２１…ＲＡＭ（データメモリ）
２３…ＥＰＲＯＭ（不揮発性メモリ）
代理人    弁理士      伊    藤      進 
【図１】
2005244660.tif 000003
【図２】
2005244660.tif 000004
【図３】
2005244660.tif 000005
【図４】
2005244660.tif 000006
【図５】
2005244660.tif 000007